(57)【要約】【課題】未熟練者でも簡単に仕上がりの良い装飾を行うことができる装飾具を提供する。【解決手段】花弁や葉等を模して形成した複数枚の素材シート２ａ．２ｂ，２ｃを積層してなる装飾部としての花部１と、積層した素材シート２ａ．２ｂ，２ｃに亘って並列形成した複数の透孔４に亘って挿通される結び紐３とからなり、結び紐３を花部１の透孔４群に折返し挿通し、端部の透孔４から突出された結び紐３の折返し部を対象物絞込み用のループ部３ａに形成してある。【選択図】図１
0003179011.tif 000002
【実用新案登録請求の範囲】
【請求項１】
花弁、葉、蝶、及び、リボンの少なくともいずれか一つを模して形成した素材シートからなる装飾部と、素材シートに形成した複数の透孔に亘って挿通される結び紐とからなり、
前記結び紐を前記装飾部の複数の透孔に折返し挿通し、端部の透孔から突出された結び紐の折返し部を対象物巻きつけ用のループ部に形成してあることを特徴とする装飾具。
【請求項２】
前記装飾部が、花弁や葉を模して形成した複数枚の前記素材シートを積層してなる花部であり、
前記結び紐が、積層した素材シートに形成した複数の透孔に亘って挿通されるものであり、
前記結び紐を、前記花部の透孔群に折返し挿通し、端部の透孔から突出された結び紐の折返し部を対象物巻きつけ用のループ部に形成してある、
請求項１に記載の装飾具。
【請求項３】
前記花部をポインセチアに模して形成してある請求項２に記載の装飾具。
【請求項４】
前記花部をカーネーションに模して形成してある請求項２に記載の装飾具。
【請求項５】
前記素材シートに２列に亘って前記透孔を形成し、一方の列の透孔群に挿通した結び紐を折り返して他方の列の透孔群に逆向きに挿通し、その折返し部を前記ループ部に形成してある請求項２ないし４のいずれかに記載の装飾具。
【請求項６】
前記透孔がスリット状である、
請求項１ないし５のいずれかに記載の装飾具。
【請求項７】
前記結び紐の前記ループ部を、包装袋の開口部に沿って形成した複数の通し孔に挿通してある請求項１ないし６のいずれかに記載の装飾具。
【考案の詳細な説明】
【技術分野】
【０００１】
本考案は、物品を収納した袋の開口部を絞って閉じる際の装飾や、各種の物品に取り付けて装飾するのに用いる装飾具に関する。
【背景技術】
【０００２】
従来より、包装袋に収納して顧客に手渡す商品が贈答品である場合などにおいては、包装袋の開口部を装飾用リボンによって各種飾り結びで縛ることが一般的に行われている。
【０００３】
このような飾り結びを手早くかつ綺麗に仕上げるには熟練を要するものであり、未熟練者が手際よくかつ体裁よく仕上げることが難しい。
【０００４】
そこで、例えば、特許文献１に示されるように、蝶リボン部と帯状リボンを用いて包装物を簡単かつ綺麗に装飾する手段が提案されている。
【先行技術文献】
【特許文献】
【０００５】
【特許文献１】特開２０００−４５１５９号公報
【考案の概要】
【考案が解決しようとする課題】
【０００６】
しかし、上記包装用リボンは、単に装飾のためだけに使用されるものであって、例えば、包装袋の開口部を閉じて装飾したい場合には、別途手段で包装袋を閉じて上記包装用リボンを止着する必要があり、包装袋を閉じる結び紐や閉じ具と包装用リボンを包装袋に止着するテープやピンなどを必要とするものであった。
【０００７】
本考案は、このような実情に着目してなされたものであって、未熟練者でも簡単に仕上がりの良い装飾を行うことができる装飾具を提供することを目的とするものである。
【課題を解決するための手段】
【０００８】
上記目的を達成するために、本考案では次のように構成している。
【０００９】
（１）本考案に係る装飾具は、花弁、葉、蝶、及び、リボンの少なくともいずれか一つを模して形成した素材シートからなる装飾部と、素材シートに形成した複数の透孔に亘って挿通される結び紐とからなり、
前記結び紐を前記装飾部の複数の透孔に折返し挿通し、端部の透孔から突出された結び紐の折返し部を対象物巻きつけ用のループ部に形成してあることを特徴とする。
【００１０】
この構成によると、例えば、物品が収納された包装袋の開口部に、装飾部から引き出された結び紐のループ部を掛け回して結び紐を絞り込むことで、絞り込まれたループ部によって包装袋の開口部が閉じられるとともに、結び紐の絞り込みに伴って複数の透孔が互いに引き寄せられ、各素材シートが立体的に変形される。これによって、花弁、葉、蝶やリボンを内側から外側に向けて立体的に拡げた装飾部が形成される。
【００１１】
（２）本考案の一実施態様では、前記装飾部が、花弁や葉を模して形成した複数枚の前記素材シートを積層してなる花部であり、前記結び紐が、積層した素材シートに形成した複数の透孔に亘って挿通されるものであり、前記結び紐を、前記花部の透孔群に折返し挿通し、端部の透孔から突出された結び紐の折返し部を対象物巻きつけ用のループ部に形成してある。
【００１２】
この構成によると、例えば、物品が収納された包装袋の開口部に、花部から引き出された結び紐のループ部を掛け回して結び紐を絞り込むことで、絞り込まれたループ部によって包装袋の開口部が閉じられるとともに、結び紐の絞り込みに伴って透孔群が互いに引き寄せられ、各素材シートが立体的に変形される。これによって、花弁や葉を内側から外側に向けて立体的に拡げた花部が形成される。
【００１３】
（３）本考案の他の実施態様では、前記花部をポインセチアに模して形成してある。
【００１４】
この構成によると、包装袋に入れたクリスマスプレゼントの包装と装飾として好適に利用できる。
【００１５】
（４）本考案の更に他の実施態様では、前記花部をカーネーションに模して形成してある。
【００１６】
この構成によると、包装袋に入れた母の日のプレゼントの包装と装飾として好適に利用できる。
（５）本考案の好ましい実施態様では、前記素材シートに２列に亘って前記透孔を形成し、一方の列の透孔群に挿通した結び紐を折り返して他方の列の透孔群に逆向きに挿通し、その折返し部を前記ループ部に形成してある。
【００１７】
この構成によると、結び紐の絞込みによって各列で透孔同士が引き寄せられるとともに、２列の透孔群も互いに引き寄せられ、これによって素材シートが複雑に変形されて、素材シートが好適にしわ寄せされ、花弁等の雰囲気を好適にもたらす。
【００１８】
（６）本考案の他の実施態様では、前記透孔がスリット状である。
【００１９】
この構成によると、切れ目を形成することによって、簡単に透孔を形成することができる。
【００２０】
（７）本考案の他の実施態様では、前記結び紐の前記ループ部を、包装袋の開口部に沿って形成した複数の通し孔に挿通してある。
【００２１】
この構成によると、結び紐を絞り込んで結ぶことで、包装袋の開口部を巾着状に絞り込み閉塞するとともに、花部等を立体的に変形させて装飾を形成することができる。
【考案の効果】
【００２２】
このように、本考案によれば、結び紐のループ部を包装袋の開口部に掛け回し、結び紐を絞り込んで結ぶだけで、包装袋の開口部を縛って閉じるとともに、装飾部を立体的に絞り込んだ造花等に形成することができ、未熟練者でも簡単に仕上がり良く包装と装飾を行うことができる。また、単なる装飾としても有効に利用することができる。
【図面の簡単な説明】
【００２３】
【図１】第１例に係る装飾具を表側からみた斜視図である。
【図２】第１例に係る装飾具を裏側からみた斜視図である。
【図３】花部の表面図である。
【図４】花部の裏面図である。
【図５】花部の分解斜視図である。
【図６】使用形態の一例を示す斜視図である。
【図７】使用形態の一例を示す斜視図である。
【図８】使用形態の他の例を示す斜視図である。
【図９】使用形態の別の例を示す斜視図である。
【図１０】使用形態の更に別の例を示す斜視図である。
【図１１】第２例に係る装飾具を表側からみた斜視図である。
【図１２】第２例に係る装飾具を裏側からみた斜視図である。
【図１３】花部の表面図である。
【図１４】花部の分解斜視図である。
【図１５】使用形態の一例を示す斜視図である。
【考案を実施するための形態】
【００２４】
以下、本考案の実施例のいくつかを図面に基づいて説明する。
【００２５】
〔第１例〕
図１〜図１０に、本考案に係る装飾具の第１例が示されている。この例の装飾具Ａはポインセチアを模した造花を形成するものであって、花弁や葉を模した複数枚の素材シート２ａ，２ｂ，２ｃを重ねてなる装飾部としての花部１と、これに挿通される結び紐３とで構成されている。なお、素材シートは、必ずしも複数枚を積層する必要はなく、１枚で構成してもよい。
【００２６】
素材シート２は、不織布、織り布、樹脂シート、紙材、等の柔軟なシート材が利用され、ポインセチアを模したこの例では、緑色に染色（あるいは着色）された葉用の素材シート２ａと、赤色に染色（あるいは着色）された大小２枚の苞葉用の素材シート２ｂ、２ｃが使用されるとともに、各素材シート２ａ，２ｂ，２ｃのそれぞれには、長さ十数ｍｍ程度のスリット状に形成された偶数個（６〜１０）の透孔４が一定間隔（数ｍｍ）をもって並列状に形成されている。
【００２７】
結び紐３は、前記透孔４の長さより小さい幅のリボン状のものが利用され、中間で折り返した状態で、素材シート２ａ，２ｂ，２ｃの透孔４群を裏、表、裏、表、…と縫うように裏面側（葉用の素材シート２ａ側）から挿通されて裏面側に引き出され、裏面側に結び紐を備えた花部１が形成される。
【００２８】
図６，図７に、このように形成された装飾具Ａの使用形態の一例が示されている。この場合、花部１の裏面側に突出されている結び紐３の折返し部を拡げてループ部３ａを形成し、このループ部３ａを、物品が収納された包装袋５の開口部５ａに掛け回し、結び紐３の両端を引っ張ってループ部３ａを絞り込むことで包装袋５の開口部５ａを絞り込んで閉じるとともに、蝶々結び等の適宜仕様で結び紐３を体裁よく結ぶ。この結び紐３の絞り込みによって結び紐３を挿通した透孔４が互いに引き寄せられ、花部１が立体的に変形されてポインセチアに形成されることになる。
【００２９】
図８に、上記装飾具Ａの他の使用形態が示されている。この場合、包装袋５の開口部５ａに沿って設けた通し孔６に、結び紐３のループ部３ａが挿通されるように結び紐３を花部１と包装袋５に亘って挿通しておき、物品を包装袋５に収納して結び紐３を絞り込んで結ぶことで、包装袋５の閉じ処理と造花の形成を一挙に行うことができる。
【００３０】
上記装飾具Ａは、主として上記のように包装袋の閉じ処理と造花装飾を行うものであるが、単なる造花装飾としての用途もある。例えば、図９に示すように、図示されていない上記ループ部３ａを手提げ袋７の取っ手８に縛りつけ、上記と同様の要領で結び紐３を絞り込んで結ぶことで、手提げ袋８の装飾として使用することもできる。なお、ループ部３ａを取っ手８に縛りつける手段としては、ループ部３ａを花部１から大きく引き出して取っ手８に回し掛け、この回し掛けたループ部３ａに花部１を挿通するのが簡単な手段である。少し手間のかかる手段としては、結び紐３の一端側だけを透孔４群からループ３ａ側に抜き出し、抜き出した紐部分を取っ手８に回し掛けて再び透孔４群に逆向きに挿通することで、ループ部３ａに取っ手８が挿通された状態にすることもできる。
【００３１】
単なる造花装飾に使用する他の例としては、例えば、図１０に示すように、花瓶や各種の瓶９にループ部３ａを巻き掛けて、結び紐３を絞り込んで結ぶことで花部１を立体形成して装飾することもできる。
【００３２】
〔第２例〕
図１１〜図１５に、本考案に係る装飾具Ａの第２例が示されている。この例の装飾具Ａは、カーネーションを模した造花を形成するものであって、花弁を模して周縁を細かくギザギザ形状にした大きさの異なる３枚の素材シート２ｄ，２ｅ，２ｆを重ねてなる花部１と、これに挿通される１本の結び紐３とを備え、基本的には上記第１例と同様に構成されている。
【００３３】
この例では、打ち抜き形成した丸孔からなる紐通し用の透孔３が２列形成され、中間で折り返した結び紐３の両端が各列の透孔群に縫うように挿通されて、ループ部３ａと２本の自由端が花部１の裏面に引き出される。
【００３４】
このように構成された装飾具の使用形態は上記第１例と同様であり、例えば、図１５に示すように、物品が収納された包装袋の開口部を結び紐３のループ部３ａで絞り込んで結びことで、花部１が立体的に変形されてカーネーションに形成されることになり、母の日のプレゼントの包装と装飾に有効に利用できる。この場合、結び紐３の絞込みによって２列の透孔４が互いに接近する方向にも素材シート２ｄ，２ｅ，２ｆが変形することで、素材シート２ｄ，２ｅ，２ｆが花部中心に向けて細かく皺寄せられて絞り込まれることになり、カーネーションの風合いが出される。
【００３５】
〔他の実施例〕
本考案は、以下のような形態で実施することもできる。
【００３６】
（１）花部１としては、上記したポインセチアやカーネーションの他にバラ、パンジー、朝顔、など種々のものを模すことが可能である。
【００３７】
なお、花や葉を模す花部１は、花のみを模すものであってもよいし、葉のみを模すものであってもよく、両者を模すものであってもよい。
【００３８】
本考案の装飾部は、花や葉を模す花部１に限らず、蝶やリボン等を模したものであってもよい。
【００３９】
（２）結び紐３は、リボン状のものに限られることはなく、着色あるいは文様が印刷された紙製の丸紐や平紐、あるいは、針金入りの紐体を利用することも可能である。また、ご祝儀用として水引を結び紐３に使用することもできる。また、長時間にわたって取り付けられたままとなる造花装飾として利用する場合には、着色したアルミ線を結び紐として使用することもできる。
【００４０】
（３）上記実施例では１本の結び紐３を使用する場合を例示しているが、細い結び紐３を複数本使いしてもよい。
【００４１】
（４）上記実施例では複数の透孔４を直線状に並列形成しているが、複数の透孔４を環状に並列形成して実施することもできる。これによると、結び紐３が絞り込まれた際に、環状に並列形成された透孔４群はその中心部側に向けて引き寄せられ、これに伴って花部１も一点に絞込み変形されることになり、中心から外方に花弁を拡げる花部１の形成を良好に行うことができる。
【符号の説明】
【００４２】
１            花部
２ａ          素材シート
２ｂ          素材シート
２ｃ          素材シート
２ｄ          素材シート
２ｅ          素材シート
２ｆ          素材シート
３            結び紐
３ａ          ループ部
４            透孔
【図１】
0003179011.tif 000003
【図２】
0003179011.tif 000004
【図３】
0003179011.tif 000005
【図４】
0003179011.tif 000006
【図５】
0003179011.tif 000007
【図６】
0003179011.tif 000008
【図７】
0003179011.tif 000009
【図８】
0003179011.tif 000010
【図９】
0003179011.tif 000011
【図１０】
0003179011.tif 000012
【図１１】
0003179011.tif 000013
【図１２】
0003179011.tif 000014
【図１３】
0003179011.tif 000015
【図１４】
0003179011.tif 000016
【図１５】
0003179011.tif 000017